(57)【要約】【課題】底部フレームに対して支柱を傾倒させることができる折り畳み式ストッカーを簡易な構成としつつ、支柱を立設させた組立て時の姿勢を安定して保持できると共に、組立て時の剛性を高めることができる組立て構造を提供する。【解決手段】折り畳み式のストッカー１の支柱２０に、足場用手摺り１１０のフック１１５を係止させる係止用突起５０を設けると共に、足場用手摺りのクサビ部１３０を挿入する係止用環状部６０を設け、底部フレーム１０に対して傾倒させた状態から底部フレームから立設する状態に変位させた支柱の一対を、建築現場に存在する足場用手摺りで連結する。【選択図】図６
2020083346.tif 000002
【特許請求の範囲】
【請求項１】
足場部材を積載するためのストッカーであって、底部フレーム、及び、該底部フレームに対して傾倒している状態と前記底部フレームから立設している状態とに変位する支柱を備える折り畳み式ストッカーと、
長棒状の中間部材、該中間部材の一端及び他端にそれぞれの一端が回動可能に連結された長棒状の一対のブレース材、該ブレース材それぞれにおいて前記中間部材に連結された側の端部に設けられた一対のフック、及び、前記ブレース材それぞれの自由端に設けられた一対のクサビ部を備える足場用手摺りと、を具備し、
前記折り畳み式ストッカーは、前記支柱の自由端近傍から突出している係止用突起、及び、前記支柱の基端近傍または前記支柱と前記底部フレームとの連結部において突出し、前記支柱の軸方向に貫通する孔部が形成された係止用環状部を更に備えており、
前記支柱が前記底部フレームから立設している状態で、一つの前記足場用手摺りにおける一対の前記フックが、隣接して対をなす前記支柱の前記係止用突起にそれぞれ係止されていると共に、同じ前記足場用手摺りの一対の前記ブレース材が交差している状態で、一対の前記クサビ部が前記係止用環状部にそれぞれ挿入されている
ことを特徴とする折り畳み式ストッカーの組立て構造。
【請求項２】
前記折り畳み式ストッカーは、
複数の載置プレートと、
それぞれ隣接して対をなす二対の前記支柱間に、複数の前記載置プレートを着脱自在に架け渡す複数のプレート取付け部と、を備えており、
前記プレート取付け部は、一対の前記支柱間の前記載置プレートと他の対の前記支柱間の前記載置プレートとが同じ高さで対向すると共に、同一の前記載置プレートが架け渡された一対の前記支柱を結ぶ方向が、一つの前記足場用手摺りの一対の前記フックが係止されている前記支柱の一対を結ぶ方向と交差する方向となるように、前記支柱に設けられており、
同じ高さで対向している二枚の前記載置プレート間に前記足場部材が積載されている
ことを特徴とする請求項１に記載の折り畳み式ストッカーの組立て構造。
【請求項３】
積載対象の前記足場部材は、前記足場用手摺りと同一構成である
ことを特徴とする請求項１または請求項２に記載の折り畳み式ストッカーの組立て構造。
【発明の詳細な説明】
【技術分野】
【０００１】
本発明は、底部フレームに対して支柱を傾倒させることができる折り畳み式ストッカーの組立て構造に関するものである。
【背景技術】
【０００２】
住宅やビル等の建物、橋梁やトンネル等の土木構造物の建築現場では、設置面から立設させる支柱、支柱間に架設される踏み板、梁部材、手摺り材など、多種類の足場部材がそれぞれ多数使用される。そのため、不使用時に足場部材を整然と保管したり、まとめて搬送したりするために、足場部材を積載するストッカー（「パレット」、「ラック」と称されることもある）が使用されている。
【０００３】
このようなストッカーとして、従前より、底部フレームに対して支柱を傾倒させることができる折り畳み式のストッカーが使用されている。折り畳み式とすることにより、不使用時にストッカーが嵩張らない利点を有している。
【０００４】
折り畳み式のストッカーでは、組立てた状態、すなわち、使用時に支柱を立設させた状態を保持する必要があるが、そのために支柱の傾倒を規制するロック機構を設けると、ストッカーの構成が複雑となり、コスト高となる問題がある。
【０００５】
また、支柱の傾倒を規制するロック機構を設けたとしても、そのようなロック機構は支柱と底部フレームとを連結する支柱の基端近傍に設けざるを得ないため、組立てた状態におけるストッカーの剛性を高めることが難しいという問題がある。この問題は、支柱が長くなるほど顕著である。
【発明の概要】
【発明が解決しようとする課題】
【０００６】
そこで、本発明は、上記の実情に鑑み、底部フレームに対して支柱を傾倒させることができる折り畳み式ストッカーを簡易な構成としつつ、支柱を立設させた組立て時の姿勢を安定して保持できると共に、組立て時の剛性を高めることができる組立て構造の提供を、課題とするものである。
【課題を解決するための手段】
【０００７】
上記の課題を解決するため、本発明にかかる折り畳み式ストッカーの組立て構造（以下、単に「組立て構造」と称することがある）は、
「足場部材を積載するためのストッカーであって、底部フレーム、及び、該底部フレームに対して傾倒している状態と前記底部フレームから立設している状態とに変位する支柱を備える折り畳み式ストッカーと、
長棒状の中間部材、該中間部材の一端及び他端にそれぞれの一端が回動可能に連結された長棒状の一対のブレース材、該ブレース材それぞれにおいて前記中間部材に連結された側の端部に設けられた一対のフック、及び、前記ブレース材それぞれの自由端に設けられた一対のクサビ部を備える足場用手摺りと、を具備し、
前記折り畳み式ストッカーは、前記支柱の自由端近傍から突出している係止用突起、及び、前記支柱の基端近傍または前記支柱と前記底部フレームとの連結部において突出し、前記支柱の軸方向に貫通する孔部が形成された係止用環状部を更に備えており、
前記支柱が前記底部フレームから立設している状態で、一つの前記足場用手摺りにおける一対の前記フックが、隣接して対をなす前記支柱の前記係止用突起にそれぞれ係止されていると共に、同じ前記足場用手摺りの一対の前記ブレース材が交差している状態で、一対の前記クサビ部が前記係止用環状部にそれぞれ挿入されている」ものである。
【０００８】
本構成では、折り畳み式ストッカー（以下、単に「ストッカー」と称することがある）であって、支柱を底部フレームに対して傾倒している状態から立設している状態に変位させたストッカーにおいて、隣接している支柱が自由端近傍で足場用手摺りの中間部材で連結されていると共に、足場用手摺りの一対のブレース材が筋交いとなるようにストッカーに取付けられている。従って、“ストッカーの構成ではなく”、ストッカーが使用される建築現場（足場が仮設される現場）に存在する足場用手摺りを有効に利用して、支柱が立設された組立て時の支柱の姿勢を安定的に保持することができると共に、組立て時のストッカーの剛性を高めることができる。
【０００９】
本発明にかかる組立て構造は、上記構成に加え、
「前記折り畳み式ストッカーは、
複数の載置プレートと、
それぞれ隣接して対をなす二対の前記支柱間に、複数の前記載置プレートを着脱自在に架け渡す複数のプレート取付け部と、を備えており、
前記プレート取付け部は、一対の前記支柱間の前記載置プレートと他の対の前記支柱間の前記載置プレートとが同じ高さで対向すると共に、同一の前記載置プレートが架け渡された一対の前記支柱を結ぶ方向が、一つの前記足場用手摺りの一対の前記フックが係止されている前記支柱の一対を結ぶ方向と交差する方向となるように、前記支柱に設けられており、
同じ高さで対向している二枚の前記載置プレート間に前記足場部材が積載されている」ものとすることができる。
【００１０】
本構成では、ストッカーが着脱式の載置プレートを複数備えていると共に、載置プレートを取付けるためのプレート取付け部が支柱に複数設けられており、二対の支柱間にそれぞれ架け渡されて同じ高さで対向する二枚の載置プレート間に足場部材が積載されている。従って、載置プレートを取付けるプレート取付け部の間隔、及び、使用する載置プレートの枚数を、積載対象の足場部材の積載姿勢における高さに応じて変更することができる。これにより、単一構成のストッカーに、高さの異なる多種類の足場部材を積載することができる。
【００１１】
また、隣接する支柱間に載置プレートが架け渡されることにより、載置プレートによっても支柱が立設された姿勢が安定的に保持されると共に、ストッカーの剛性が高められる。本構成では、載置プレートが架け渡される一対の支柱を結ぶ線と、足場用手摺りが取り付けられる一対の支柱を結ぶ線とが交差しているため、足場用手摺り及び載置プレートそれぞれによって、組立て時の支柱の姿勢を安定させると共にストッカーの剛性を高める作用が発揮される方向が交差することとなり、両者の作用が相乗的に発揮される利点を有している。
【００１２】
本発明にかかる組立て構造は、上記構成に加え、
「積載対象の前記足場部材は、前記足場用手摺りと同一構成である」ものとすることができる。
【００１３】
本構成は、支柱を立設させた組立て時の姿勢を安定して保持させる共に、組立て時のストッカーの剛性を高めるために、“ストッカーの積載対象である足場部材の一部”を使用するという、独創的なアイデアに基づくものである。
【発明の効果】
【００１４】
以上のように、本発明によれば、底部フレームに対して支柱を傾倒させることができる折り畳み式ストッカーを簡易な構成としつつ、支柱を立設させた組立て時の姿勢を安定して保持できると共に、組立て時の剛性を高めることができる組立て構造を、提供することができる。
【図面の簡単な説明】
【００１５】
【図１】図１（ａ）はストッカーの斜視図であり、図１（ｂ）は載置プレートの斜視図である。
【図２】図２は図１（ａ）のストッカーに下端載置プレートを取付けた状態の斜視図である。
【図３】図３（ａ）は足場用手摺りの斜視図であり、図３（ｂ）は図３（ａ）の足場用手摺りを折り畳んだ状態の斜視図であり、図３（ｃ）は図３（ａ）の足場用手摺りが仮設足場で使用される場合に取付けられるフランジ状取付け具を有する足場支柱の部分斜視図である。
【図４】図４は図２の状態のストッカーの支柱間に図３（ａ）の足場用手摺りを取付けた状態の斜視図である。
【図５】図５は図４の状態のストッカーの下端載置プレートに積載対象である足場用手摺りを積載し、更に載置プレートを取付けた状態の斜視図である。
【図６】図６は図１（ａ）のストッカーに積載対象である足場用手摺りを多段に積載し、図３（ａ）の足場用手摺りの二つをそれぞれ支柱間に取付けた状態の斜視図である。
【図７】図７（ａ）は図１（ａ）のストッカーが折り畳まれた状態の斜視図であり、図７（ｂ）は図７（ａ）の状態の平面図であり、図７（ｃ）はＸ−Ｘ線断面図である。
【図８】図８（ａ）は足場用幅木の斜視図であり、図８（ｂ）は図１（ａ）のストッカーに積載対象の足場部材として図８（ａ）の足場用幅木を積載した状態の斜視図である。
【図９】図９（ａ）は中間支柱の斜視図であり、図９（ｂ）は図１（ａ）のストッカーに図９（ａ）の中間支柱を固定した状態の斜視図である。
【発明を実施するための形態】
【００１６】
以下、本発明の具体的な実施形態について、図１乃至図７を用いて説明する。本実施形態の組立て構造は、折り畳み式のストッカー１と足場用手摺り１１０とを具備している。
【００１７】
まず、ストッカー１の構成について説明する。ストッカー１は、底部フレーム１０と、支柱２０と、支柱２０と底部フレーム１０との連結部３０と、載置プレート７０と、プレート取付け部４０と、収納部８０と、係止用突起５０と、係止用環状部６０とを、主な構成とする。
【００１８】
底部フレーム１０は、一対の第一バー１１と一対の第二バー１２によって形成された枠体であり、真上から見た形状（平面視形状）は矩形である。ここでは、第一バー１１が第二バー１２より長い場合を例示している。以下では、第一バー１１の軸方向を「左右」方向と称すると共に、第二バー１２の軸方向を「前後」方向と称する。また、底部フレーム１０において第一バー１１及び第二バー１２によって囲まれる面を設置面と平行とした状態で、底部フレーム１０に対して立設させた支柱２０の軸方向を「上下」方向と称する。
【００１９】
支柱２０は、軸方向に直交する断面の外形が矩形の長棒状で四本あり、その基端が連結部３０を介して底部フレーム１０の四隅に連結されている。ここでは、四本の支柱２０のうち、前方の第一バー１１の両端にそれぞれ連結されているものを支柱２１と称すると共に、後方の第一バー１１の両端にそれぞれ連結されているものを支柱２２と称し、特に区別する必要がない場合は支柱２０と総称する。矩形の底部フレーム１０の四隅から支柱２０が立設していることにより、対をなす支柱２１と支柱２２とを結ぶ方向は、一対の支柱２１を結ぶ方向と直交していると共に、一対の支柱２２を結ぶ方向と直交している。
【００２０】
連結部３０は、支柱２０の数に対応させて四個あり、それぞれ中間壁３１と、中間壁３１の両側辺から同一方向に直角に延出している一対の側壁３２とからなる断面コ字形の部材である。それぞれの連結部３０は、第二バー１２それぞれの両端部に、コ字の開口を左右方向における内方に向けた状態で固定されており、第一バー１１が連結部３０の開口内に一端が挿入された状態で連結部３０に固定されている。そして、連結部３０の開口内において、第一バー１１の上に支柱２０の基端が挿入されている。
【００２１】
連結部３０の一対の側壁３２それぞれには、丁度重なるように長孔１５が貫設されている。この長孔１５は、上下方向に延びると共に、上方に向かうほど左右方向における内方に向かうように傾斜している。それぞれの支柱２０の基端近傍には、前後方向における双方向に突出するように連結ピン３６を貫通させてあり、この連結ピン３６は一対の側壁３２それぞれの長孔１５を貫通した状態で長孔１５から抜け止めされている。本実施形態では連結ピン３６は雄ネジであり、雄ネジの両端部それぞれに留め付けられたナット３７によって、長孔１５からの抜け止めがなされている。そして、連結ピン３６が長孔１５の下端に位置している状態で、支柱２０は第一バー１１の上に載置された状態となる。このような構成の連結部３０は、支柱２０の基端を底部フレーム１０に連結する役割と、第一バー１１と第二バー１２とを連結して底部フレーム１０を形成させる役割とを兼ねている。
【００２２】
各支柱２０を底部フレーム１０に連結している連結部３０それぞれの下端には、脚部１８が設けられており、脚部１８を設置面に立設させた状態では、底部フレーム１０に囲まれた面が設置面と平行となる。また、連結部３０それぞれには、外方に向かって突出するようにリング状金具１９が固着されている。このリング状金具１９に通したロープやワイヤ等により、ストッカー１を吊り下げることができる。
【００２３】
上記構成の連結部３０を介して支柱２０の基端が底部フレーム１０に連結されていることにより、連結ピン３６を長孔１５に沿って上方に移動させつつ支柱２０を上方に引き上げ、支柱２０と第一バー１１との間に空隙が生じた状態で、支柱２０を左右方向における内方に向かって倒すことにより、図７（ａ）及び図７（ｂ）に示すように、支柱２０が底部フレーム１０に対して折り畳まれた状態とすることができる。上記のように連結部３０の開口は左右方向における内方に向けられており、その内部に第一バー１１の端部が挿入されていることにより、それぞれの支柱２０は第一バー１１に重畳するように折り畳まれる。なお、連結部３０の一対の側壁３２と支柱２０との間にはクリアランスが設けられているが、このクリアランスの大きさは、支柱２０の長さが第一バー１１の長さの１／２より大きくても、支柱２０を傾倒させたときに隣接する支柱２１同士及び支柱２２同士の軸方向をずらすことができ（図７（ｂ）参照）、それによって支柱２１同士及び支柱２２同士の干渉を回避できる大きさに設定されている。
【００２４】
逆に、支柱２０が底部フレーム１０に対して傾倒した状態から、支柱２０を引き起こして底部フレーム１０に対して直角とし、連結ピン３６を長孔１５に沿って下方に移動させつつ支柱２０を押し下げれば、図１に示すように、底部フレーム１０から支柱２０が立設している状態とすることができる。
【００２５】
プレート取付け部４０の数は支柱２０一つ当たり複数である。ここで、各支柱２０にＮ個のプレート取付け部４０が設けられているとすると、支柱２０が底部フレーム１０から立設している状態では、各支柱２０において下からｎ番目（１≦ｎ≦Ｎ）のプレート取付け部４０は、同一の高さにある。何れの支柱２０のプレート取付け部４０も前後方向における内方に突出しており、同一の第二バー１２の両端から立設している支柱２１及び支柱２２それぞれのプレート取付け部４０は対面している。
【００２６】
プレート取付け部４０は、それぞれ載置アーム４１と挿入アーム４２とからなる。載置アーム４１は、支柱２０の軸方向に直交する方向に延びるように、支柱２０の外表面に当接している。挿入アーム４２は、載置アーム４１より上方で、支柱２０の外表面とは空隙をあけた状態で載置アーム４１と平行に延びており、先端が上方に向かって直角に屈曲している。
【００２７】
ここでは、支柱２０一つ当たりのプレート取付け部４０の個数Ｎが７である場合を図示しているが、本実施形態のストッカー１は、支柱２０に設けられたプレート取付け部４０に加えて、連結部３０に設けられた下端プレート取付け部４０ｂを備えている。下端プレート取付け部４０ｂは、プレート取付け部４０におけるものとそれぞれ同一構成の載置アーム４１と挿入アーム４２とからなり、何れの連結部３０からも前後方向における内方に向かって、同じ高さで突出している。
【００２８】
載置プレート７０は、図１（ｂ）に示すように、平板状で外形が長方形であるプレート本体７１と、プレート本体７１の一対の長辺のうち一方から直角に延出している係止片７２と、長辺の他方から係止片７２とは反対方向に延出している垂下片７３とを備えている。プレート本体７１の長さは、隣接している支柱２１と支柱２２との間の距離より僅かに短く設定されている。また、それぞれの載置プレート７０において、係止片７２には長手方向に離隔した二つの孔部７５が貫設されている。二つの孔部７５間の距離は、隣接する支柱２１及び支柱２２それぞれにおいて同じ高さにあるプレート取付け部４０における挿入アーム４２の軸心間の距離に等しい。
【００２９】
このような構成の載置プレート７０は、隣接する支柱２１及び支柱２２それぞれにおいて同じ高さにあるプレート取付け部４０間に、次のように架け渡すことができる。まず、孔部７５の貫通方向が上下方向となるように載置プレート７０を傾けた状態で、二つの孔部７５の一方に支柱２１側の挿入アーム４２の先端を挿入すると共に、他方の孔部７５に支柱２２側の挿入アーム４２の先端を挿入する。そして、挿入アーム４２に対して孔部７５の縁をスライドさせながら、載置プレート７０を挿入アーム４２の基部に向かって押し進める。上述したように挿入アーム４２は直角に屈曲しており、載置プレート７０において孔部７５が設けられた係止片７２はプレート本体７１と直角をなしているため、載置プレート７０の移動に伴ってプレート本体７１は設置面に対して平行となる。プレート本体７１の長手方向における両端を、それぞれプレート取付け部４０の載置アーム４１に載置することにより、プレート本体７１が設置面に対して平行となった状態で、載置プレート７０が支柱２１と支柱２２との間に架け渡された状態を保持することができる。なお、垂下片７３の存在により、載置プレート７０の機械的強度が高められている。
【００３０】
本実施形態のストッカー１は、載置プレート７０とは長手方向の長さが相違するのみで、他は同一の構成である下端用載置プレート７０ｂを更に具備している。下端用載置プレート７０ｂの長手方向の長さは載置プレート７０の長手方向の長さより短く、隣接する支柱２１及び支柱２２それぞれを底部フレーム１０に連結している連結部３０の下端プレート取付け部４０ｂにおける載置アーム４１間の距離より僅かに長い。また、下端用載置プレート７０ｂの係止片７２に貫設された二つの孔部７５間の距離は、隣接する支柱２１及び支柱２２それぞれを底部フレーム１０に連結している連結部３０の下端プレート取付け部４０ｂにおける挿入アーム４２の軸心間の距離に等しい。このような構成の下端用載置プレート７０ｂは、隣接する支柱２１及び支柱２２それぞれのプレート取付け部４０間に載置プレート７０を架け渡す場合と同様の操作で、隣接する支柱２１及び支柱２２それぞれを底部フレーム１０に連結している連結部３０の下端プレート取付け部４０ｂ間に、架け渡すことができる。
【００３１】
収納部８０は、不使用時の載置プレート７０及び下端用載置プレート７０ｂを収納するためのものである。収納部８０は、その軸方向を第二バー１２と平行として、一対の第一バー１１間を連結している部材であり、収納部８０の軸方向に直交する断面は上方に開口したコ字形である。図７（ｃ）に示すように、複数の載置プレート７０及び下端用載置プレート７０ｂを重ねた状態で、収納部８０の内部空間に収容することができる。
【００３２】
なお、本実施形態では収納部８０は二つあり、それぞれの収納部８０は、一対の支柱２１と支柱２２との間に架け渡される７枚の載置プレート７０と、それらの下方で連結部３０間に架け渡される下端用載置プレート７０ｂの計８枚を、収容できる大きさに設定されている。また、それぞれの収納部８０には、コ字を構成する三つ面のうち対面する一対の側面８１それぞれを、対向位置で貫通している小孔部８２が設けられている。これらの小孔部８２に頭部付きのボルト８６を通した上でナット８７によって留め付けることにより、収納部８０の開口を横切るボルト８６によって、載置プレート７０及び下端用載置プレート７０ｂが収納部８０に収容された状態が安定したものとなっている。
【００３３】
係止用突起５０は支柱２０一つ当たり一つあり、各支柱２０の自由端の近傍に設けられている。それぞれの係止用突起５０は、支柱２０の外表面に固着されている基部５１と、基部５１から逆Ｌ字形に延出している突起部５２とからなる。それぞれの支柱２０から突起部５２が突出している方向は、前後方向における外方である。
【００３４】
係止用環状部６０は支柱２０一つ当たり一つあり、本実施形態では各支柱２０を底部フレーム１０に連結している連結部３０に設けられているが、各支柱２０の基端近傍に設けることもできる。それぞれの係止用環状部６０は、連結部３０の外表面に固着されている基部６１と、基部６１と共に逆Ｌ字形を形成するように基部６１から延出している平板状の延出部６２と、延出部６２に貫設された孔部６５とからなる。孔部６５の貫通方向は、支柱２０の軸方向と平行である。
【００３５】
次に、足場用手摺り１１０の構成を説明する。足場用手摺り１１０は、中間部材１１１と、一対のブレース材１１２と、一対のフック１１５と、一対のクサビ部１３０とを備えている。中間部材１１１は長棒状であり、その両端に同一方向に屈曲した屈曲部１１１ｂを備えている。一対のブレース材１１２はそれぞれ中間部材１１１より長い長棒状であり、一方のブレース材１１２の一端が中間部材１１１の一端の屈曲部１１１ｂにピン１１２ｐによって回動可能に連結されていると共に、他方のブレース材１１２の一端が中間部材１１１の他端の屈曲部１１１ｂにピン１１２ｐによって回動可能に連結されている。
【００３６】
一対のフック１１５のそれぞれは、一対のブレース材１１２のそれぞれにおいて中間部材１１１と連結されている側の端部に設けられている。これにより、中間部材１１１に対してブレース材１１２を回動させると、そのブレース材１１２の端部のフック１１５もピン１１２ｐの軸心周りに回動する。
【００３７】
一対のクサビ部１３０のそれぞれは、一対のブレース材１１２のそれぞれの自由端、すなわち、フック１１５が設けられている端部とは反対側の端部に固定された筒部１２０の内部空間をスライドする構成である。より具体的には、筒部１２０は平たい角筒状で、筒の軸方向に離隔した上筒部１２１と下筒部１２２とからなる。クサビ部１３０は、第一クサビ１３１とこれに平行な第二クサビ１３２を有しており、筒部１２０から抜け止めされた状態で筒部１２０内をスライドする。第二クサビ１３２は第一クサビ１３１より長く、第二クサビ１３２が第一クサビ１３１よりブレース材１１２の端部に近くなる向きで、クサビ部１３０が筒部１２０に保持されている。
【００３８】
上記構成の足場用手摺り１１０は、従前より仮設足場で使用されているものであり、一般的には、図３（ｃ）に示すようなフランジ状取付け具２１０を備える足場支柱Ｐに取付けられる先行手摺りとして使用されている。フランジ状取付け具２１０は、仮設足場の設置面から立設される足場支柱Ｐに、軸方向に離隔して複数が固定されているものであり、足場支柱Ｐの軸方向に直交する方向に延出している平板状のフランジ部２１１に、９０°の角度間隔で上下に貫通する孔部２１５が穿設されている。
【００３９】
先行手摺りは、足場床が多段に積重される仮設足場において、既設の下段足場床から、次に新設される上段足場床の手摺りとして設置されるものである。足場用手摺り１１０を先行手摺りとする場合の使用方法を具体的に説明すると、下段足場床に居る作業者が、一対のブレース材１１２の一方を立ち上げ、そのブレース材１１２を回動させることにより、次に新設される上段足場床における手摺りの高さに位置するフランジ状取付け具２１０の孔部２１５にフック１１５を挿入する。次に、他方のブレース材１１２を立ち上げ、先にフック１１５を係止したフランジ状取付け具２１０と同じ高さにあるフランジ状取付け具２１０の孔部２１５に、そのフック１１５を挿入する。
【００４０】
その後、一対のブレース材１１２を交差させ、それぞれのブレース材１１２の自由端にあるクサビ部１３０を、フック１１５を係止させたフランジ状取付け具２１０より低い高さにあるフランジ状取付け具２１０と係合させる。その際は、クサビ部１３０を保持している筒部１２０を、その上筒部１２１と下筒部１２２とでフランジ部２１１を上下から挟み込むように配置し、その孔部２１５に第一クサビ１３１を落とし込む。第一クサビ１３１の下方への移動は、筒部１２０内での第二クサビ１３２のスライドによって案内される。第一クサビ１３１が孔部２１５に嵌入されることにより、クサビ部１３０がフランジ状取付け具２１０と係合した状態となる。
【００４１】
次に、上記構成のストッカー１の使用方法、及び、上記構成の足場用手摺り１１０を使用したストッカー１の組立て構造について説明する。ここでは、ストッカー１に積載する対象の足場部材が、上記の足場用手摺り１１０である場合を例示する。
【００４２】
まず、ストッカー１が折り畳まれた状態で（図７参照）、その脚部１８を設置面に立脚させる。上述した操作で四本の支柱２０それぞれを引き起こし、底部フレーム１０から支柱２０を立設させる（図１参照）。収納部８０から載置プレート７０及び下端用載置プレート７０ｂを取出す。
【００４３】
取り出された下端用載置プレート７０ｂを、隣接して対をなす支柱２１と支柱２２の二対それぞれの下方に位置する下端プレート取付け部４０ｂ間に、上述した操作で架け渡す（図２参照）。これにより、隣接する支柱２１と支柱２２の二対それぞれの間において、第二バー１２の直上に下端用載置プレート７０ｂが架け渡される。
【００４４】
このように同じ高さで対向して架け渡されている二つの下端用載置プレート７０ｂを使用して、ストッカー１に足場部材を積載することができる。これに先立って、図４に示すように、足場用手摺り１１０をストッカー１に取付けることにより、支柱２０を立設させた組立て時の姿勢を安定して保持させ、ストッカー１の剛性を高めた上で、足場部材を積載する作業を行うことができる。
【００４５】
その場合、二つの支柱２１間、及び、二つの支柱２２間の少なくとも一方に、足場用手摺り１１０を取付ける。二つの支柱２１間に足場用手摺り１１０を取付ける場合を例にとり、図６及び図４を用いて説明すると、足場用手摺り１１０の一対のフック１１５の一方を、一方の支柱２１に設けられた係止用突起５０の突起部５２に引き掛けると共に、他方のフック１１５を他方の支柱２１に設けられた係止用突起５０の突起部５２に引き掛ける。そして、一対のブレース材１１２を交差させた状態とし、一方のブレース材１１２の端部の第二クサビ１３２を、一方の支柱２１を底部フレーム１０に連結している連結部３０に設けられた係止用環状部６０の孔部６５に上方から挿入すると共に、他方のブレース材１１２の端部の第二クサビ１３２を、他方の支柱２１を底部フレーム１０に連結している連結部３０に設けられた係止用環状部６０の孔部６５に上方から挿入する。なお、上述したように、足場支柱Ｐに足場用手摺り１１０を取付ける場合は、フランジ状取付け具２１０の孔部２１５にはクサビ部１３０の第一クサビ１３１を挿入させるのに対し、ここでは係止用環状部６０の孔部６５に第二クサビ１３２を挿入している。
【００４６】
これにより、隣接している支柱２１の自由端近傍、すなわち、隣接して立設している状態の支柱２１の上端近傍が足場用手摺り１１０の中間部材１１１で連結されるため、立設している支柱２１の姿勢が安定する。また、隣接している支柱２１を交差した状態で連結している一対のブレース材１１２が筋交いとして作用するため、支柱２１を立設させた組立て構造の剛性が高められる。
【００４７】
対向している二つの下端用載置プレート７０ｂを使用して、ストッカー１に足場部材を積載する際は、足場部材の両端それぞれを下端用載置プレート７０ｂに載置する。ここでは、積載対象の足場部材は、組立て構造に使用している上記構成の足場用手摺り１１０である。積載対象の足場用手摺り１１０は、図３（ｂ）に示すように、一対のブレース材１１２それぞれをピン１１２ｐの軸心周りに回動させることにより、一対のブレース材１１２が中間部材１１１と重なるように折り畳んだ状態で、その両端それぞれを下端用載置プレート７０ｂに載置する。
【００４８】
対向している二つの下端用載置プレート７０ｂ間に、折り畳まれた状態の足場用手摺り１１０を一列に積載したら、隣接する支柱２１及び支柱２２それぞれにおいて、下端プレート取付け部４０ｂのすぐ上にあるプレート取付け部４０間に、載置プレート７０を架け渡す（図５参照）。そして、上記と同様に、対向している二つの載置プレート７０間に、折り畳まれた状態の足場用手摺り１１０を一列に積載する。
【００４９】
その後、同様の操作を繰り返すことにより、図６に示すように、折り畳まれた状態の足場用手摺り１１０をストッカー１に多段に積載することができる。なお、本実施形態のストッカー１では、各支柱２０において隣接しているプレート取付け部４０の間隔、及び、下端プレート取付け部４０ｂと最も近いプレート取付け部４０との間隔は、折り畳まれた足場用手摺り１１０の積載姿勢における高さより、僅かに大きく設定されている。そのため、ストッカー１の収容空間を無駄なく使用して、多数の足場用手摺り１１０を積載することができる。
【００５０】
上記では、ストッカー１に積載する対象の足場部材が足場用手摺り１１０である場合を例示したが、その他の足場部材であってもストッカー１に積載することが可能である。その場合、積載対象の足場部材の積載姿勢における高さに応じて、各支柱２０における複数のプレート取付け部４０の一部を所定間隔で選択し、そこに載置プレート７０を取付ける。例として、積載対象の足場部材が足場用幅木２２０である場合を、図を用いて説明する。足場用幅木２２０は、図８（ａ）に示すように、足場支柱間に立設させる幅木本体２２１と、足場支柱間に横架された踏み板と幅木本体２２１との間の隙間を埋める補助板部２２２とからなる断面Ｌ字形の部材であり、折り畳まれた状態の足場用手摺り１１０より嵩張る。そのため、ここでは、図８（ｂ）に示すように、各支柱２０が備える７つのプレート取付け部４０のうち、支柱２０の自由端から１番目、３番目、５番目、及び７番目のプレート取付け部４０のみに載置プレート７０を取付け、足場幅木を四段に積載している。
【００５１】
なお、隣接する二つの支柱２１間、及び隣接する二つの支柱２２間の距離より長さの短い足場部材、換言すれば、同じ高さで対向している二つの載置プレート７０間の距離より長さの短い足場部材を、ストッカー１に積載したい場合も想定される。その場合は、図９（ａ）に示すような中間支柱９０を使用することができる。中間支柱９０は、支柱２０が備えるプレート取付け部４０と同様に、載置アーム４１と挿入アーム４２とからなるプレート取付け部４０ｃを、所定間隔で複数備えている。また、中間支柱９０の下端には、中間支柱９０の軸方向に直交する断面の外形より大きい平板状のベース９１が固定されており、ベース９１には二つの孔部９５が、中間支柱９０の中心軸に対して対称に貫設されている。
【００５２】
一方、ストッカー１の一対の第一バー１１には、複数の孔部１５が穿設されている。これらの孔部１５は隣接する二つで対をなしており、一対の孔部１５の間隔は中間支柱９０のベース９１に設けられた二つの孔部９５の間隔と等しく設定されている。
【００５３】
このような構成により、ベース９１の孔部９５に通したボルト等を第一バー１１の孔部１５に通して締結することにより、中間支柱９０を第一バー１１に固定し、図９（ｂ）に示すように、二つの支柱２１の間、及び二つの支柱２２の間で、底部フレーム１０から中間支柱９０を立設させることができる。その際、積載対象の足場部材の長さに応じて、第一バー１１それぞれにおいて複数の孔部１５から二対の孔部１５を、対をなす第一バー１１において同一位置となるように選択する。また、一対の第一バー１１において同一位置にある一対の中間支柱９０は、それぞれのプレート取付け部４０が前後方向における内方に突出するように第一バー１１に固定する。
【００５４】
このようにして、二対の中間支柱９０をストッカー１に付加することにより、それぞれ前後方向で対向している二対の中間支柱９０間に、それぞれ載置プレート７０を架け渡すことができ、左右方向において同じ高さで対向している二枚の載置プレート７０に足場部材の両端部を載置させることによって、ストッカー１に足場部材を積載することができる。そして、二つの支柱２１間、及び、二つの支柱２２間を、上記と同様に足場用手摺り１１０で連結することにより、支柱２１，２２が立設している組立て時の姿勢を安定させることができると共に、組立て時のストッカー１の剛性を高めることができる。
【００５５】
以上のように、本実施形態によれば、仮設足場で使用される折り畳み式のストッカー１について、支柱２０を立設させた組立て時の姿勢を、ストッカー１自身の構成ではなく仮設足場に存在する足場用手摺り１１０を有効に利用して、簡易に安定させることができると共に、組立て時のストッカー１の剛性を簡易に高めることができる。
【００５６】
また、ストッカー１の積載対象が足場用手摺り１１０である場合は、積載対象の足場部材そのもの一部を利用してストッカー１の組立て構造を形成するものであり、独創的なアイデアに基づいている。
【００５７】
更に、隣接する支柱２１と支柱２２との間に、着脱式の載置プレート７０を間隔及び枚数を異ならせて取付けることができるため、単一構成のストッカー１に、積載姿勢における高さの異なる多種類の足場部材を積載することができる。また、着脱式の載置プレート７０を収容できる収納部８０をストッカー１が備えているため、不使用時の載置プレート７０の保管及び部材管理が容易である。
【００５８】
加えて、ストッカー１が中間支柱９０を付加的に備えている場合は、二つの支柱２１間距離、及び二つの支柱２２間距離より長さの短い足場部材であっても、ストッカー１に積載することができる。
【００５９】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００６０】
例えば、上記では、下端プレート取付け部４０ｂに下端用載置プレート７０ｂを取付け、対向する二枚の下端用載置プレート７０ｂに足場部材を載置させる場合を例示したが、下端プレート取付け部４０ｂ及び下端用載置プレート７０ｂを備えないストッカーであっても良い。そのようなストッカーに足場部材を多段に積載する場合、最下段の足場部材は、一対の第二バー１２に直接載置することができる。その場合、収容部８０の高さ位置は、一対の第二バー１２に載置される足場部材と干渉しない高さに設定される。
【００６１】
また、上記では、支柱２０を底部フレーム１０から立設させた後、足場部材の積載に先んじて足場用手摺り１１０をストッカー１に取付ける手順を例示したが、この手順に限定されるものではなく、多段に足場部材を積載した後で、足場用手摺り１１０をストッカー１に取付けることとしても良い。
【符号の説明】
【００６２】
１  ストッカー（折り畳み式ストッカー）
１０  底部フレーム
２０  支柱
３０  連結部
４０  プレート取付け部
５０  係止用突起
６０  係止用環状部
７０  載置プレート
１１０  足場用手摺り
１１１  中間部材
１１２  ブレース材
１１５  フック
１３０  クサビ部
【図１】
2020083346.tif 000003
【図２】
2020083346.tif 000004
【図３】
2020083346.tif 000005
【図４】
2020083346.tif 000006
【図５】
2020083346.tif 000007
【図６】
2020083346.tif 000008
【図７】
2020083346.tif 000009
【図８】
2020083346.tif 000010
【図９】
2020083346.tif 000011